(57)【要約】【課題】  緊急時、どこでも簡単に構築する事が出来、しかも不要の時は分解して搬送と収納が簡単な充填型で重量変換型の積みブロック体を提供する事。【解決手段】  使用ブロック形態は、単列積み用ブロック（Ａ）も複連積み用の無限積み用ブロック（Ｂ）も上下構築タイプは同一で有るが、特に図３に示す通り、ブロック体内を空洞部１９に形成させ、且つ、ブロック体の上下係合面５、６以外の壁面全体を複数に分割し、これを組み立てて、内部に水とか泥流などの他材質物を充填して、耐圧性擁壁として使用し、不要の場合は中身である流動物を排出すれば簡単に擁壁解体が可能になる。同時に、分割形状ゆえ、倉庫等への保管スペースが少なくてすみ、経済的である。さらに、ブロック形態によってはブロック体表面より内部方向に横穴孔２６を形成させて、これに丸棒や板状の金属材を充填すれば、重量ある耐圧性ブロック体擁壁が構築可能となる。【選択図】図３
2007191997.tif 000002
【特許請求の範囲】
【請求項１】
ブロック体において、上下係合面を除く本体の表面より内部に向かって、少なくとも単数か複数の横穴孔を設けた該ブロック体を布積みか無限積みに構築し、それぞれの横穴孔に他の材質物を充填して、該ブロック体擁壁全体の重量増加を図り、擁壁不要の時は内部の他材質物を取り外し、該ブロック体の軽量化を図り、格納庫への収容利便性を図る事を特徴とする他材質物充填用重量変換型積みブロック。
【請求項２】
該ブロック体において、上下係合面を除く本体の内部に空洞部を形成した該ブロック体を布積みか無限積みに構築し、且つ、該ブロック体同士における上下係合面同士が共通する部分に、双方が連通する連通型充填口を設け、上部の充填口から水や泥流物などの他材質物を充填して、該ブロック体擁壁全体の重量増加と耐圧性を図り、擁壁不要の時は内部の他材質物を排出し、該ブロック体の軽量化を図り、格納庫への収容利便性を図る事を特徴とする請求項１に記載している他材質物充填用重量変換型積みブロック。
【請求項３】
該ブロック体において、上下係合面を除く該空洞部の壁面部を少なくとも横方向に複数分割して、該ブロック体の縮小化を図り、且つ格納庫への収容性を高め、必要な時は組み立てて、布積みか無限積みのブロック体擁壁に構築し、内部に水や泥流物などの他材質物を充填させ、重量と耐圧性あるブロック体擁壁に変化させる事を特徴とする請求項１に記載している他材質物充填用重量変換型積みブロック。
【請求項４】
該ブロック体に於いて、上下係合面を除く該空洞部の壁面部を少なくとも縦方向に複数分割して、該ブロック体の縮小化を図り、且つ格納庫への収容性を高め、必要な時は組み立てて布積みか無限積みのブロック体擁壁に構築し、内部に水や泥流物などの他材質物を充填させ、重量と耐圧性あるブロック体擁壁に変化させる事を特徴とする請求項１に記載している他材質物充填用重量変換型積みブロック。
【発明の詳細な説明】
【技術分野】
【０００１】  本発明は、内部に液体や泥流体、及び砂や板材等の他材質物を充填可能とする軽量型ガーデニング用ブロックや、組み立て型で、且つ重量性のある緊急擁壁用に用いる重量変換型積みブロックに関する。
【背景技術】
【０００２】  従来の充填型擁壁に関しては、大きな砂袋に現地の土砂などを充填し構築するタイプなどが有る。（例えば、特許文献１参照）【０００３】
【特許文献１】  特開２０００−１９８１０８
【発明の開示】
【発明が解決しようとする課題】
【０００４】  以上に述べた従来の充填型擁壁用構築物は、現地の土砂や土などを充填する大型砂袋や、コンクリート製のブロック体などが各種有るが、いずれも重機が必要であり、利便性に欠けている。特にテトラポットなどの重量型の擁壁用ブロック体などの場合は、重量も重く搬送も大変であり、又、収納場所にも問題があった。【０００５】  本発明は、この様な従来の欠点構成が有していた問題を解決しようとするものであり、搬送も構築も収納も簡単で、重機不要でも擁壁構築時間が短時間で済み、しかも現地の水や泥水、及び砂や板材などを充填可能とし、重量ある各種擁壁用積みブロックに変化させる重量変換型積みブロックを提供する事を目的とするものである。
【課題を解決するための手段】
【０００６】  そして、本発明は上記目的を達成するため、ブロック体内部を空洞状に形成させ、しかも水や泥水など泥流物を連続的に充填させるための連通型充填口を上下に設けたものである。また、他材質物を充填させるため、ブロック体の表面に横穴や板穴を設ける事も可能。【０００７】  また、第２の課題解決手段は、ブロック体の上下係合面以外の部分を箱状に分割させ、コンパクト化を図り、格納庫への簡易収納性を高めた構造としたものである。【０００８】  上記第１の課題解決手段による作用は次の通りである。すなわち、ブロック体の内部を空洞状に形成し、これに水や泥水などの液体物や砂などが充填出来、ブロック体を単列積みや無限積みに構築した時、上下係合面の一部か複数部同士が一致する部分で、上下に貫通する連通型充填口を設ける事により、一番上から泥流物等が充填出来、充填型ガーデン用ブロックや、トン単位以上の重量物擁壁体用ブロックに変化させる事が出来る。又、他材質物である金属板などがブロック体壁面内に充填可能で、重量増加に貢献可能となる。【０００９】  また、第２の課題解決手段による作用は、上下係合面以外の壁体部を横方向や縦方向に分割させることにより、擁壁不用のとき、簡単に解体でき、しかも、ブロック体がコンパクトになるので、搬送や収納が簡単になる作用が生じる。また経済的効果も生じる。【００１０】  さらに、ブロック体の係合面形状を無限積み形状にする事により、擁壁自体を単列積み工法だけでなく、複数列の無限積み工法が可能になり、幅広い超重量級トン単位の擁壁構築が短時間にて施工可能となる。当然、アール状のブロック体擁壁構築も可能となる。
【発明の効果】
【００１１】  上述したように、本発明の他材質物充填用重量変換型積みブロックは、液体や泥流体、及び板状物などの他材質物を充填することが出来るので、充填型ガーデン用ブロックや、トン単位の重量級ブロック擁壁などが短時間で構築出来、且つ、分割型ではコンパクトに分解することも出来るので、緊急時の搬送や倉庫への収納が簡単になる効果を生じる。【００１２】  また、ブロック体の形状によっては、室内壁用ブロックにも応用可能でる。勿論、用途により材質も多種多様に可能である。例えばプラスチック材やアルミ材などが可能。
【発明の実施するための最良の形態】
【００１３】  以下、本発明の実施の形態を図１〜図６に基づいて説明する。
【００１４】  図１においては、（Ａ）は単列積み用ブロックで、（Ｂ）は無限積み用ブロック。
（Ｃ）はＴ字状ブロックで、（Ｄ）はアール状ブロックの各斜視図である。  ６、７、８、９、１０、１１、１２はそれぞれの上下係合面であり、１３は連通型充填口である。  又、１８、１９、２０、２１は内部に流動物を充填する空洞部を形成している。
【００１５】  図２においては、２２、２４は正面図と背面図であり、２３、２５は側面図。  １４、１５は積みブロック体を横状に分割する横状分割線で、１６、１７は縦状に分割する縦状分割線で有る。この分割線により、ブロック体を四分割等の複数に分解する事が可能。
【００１６】  図３の分解図においては、１３は連通型充填口であり、これを通して、ブロック体内に水や泥流物などの他材質物を順次充填する事が可能である。７、８は上下係合面で、２２、２４は正面と背面を示す。１９は空洞部を示す。
【００１７】  図４においては、４は横穴孔付き積みブロック、２６は横穴孔を示し、例えば、金属製の丸状や板状の他材質板を充填挿入する事が可能で、短期構築で、しかも超重量的な積みブロック体擁壁が構築可能となる。
【００１８】  図５においては、３は分割型積みブロックであり、これを無限積み型形状に構築した場合の構築図である。これらのブロック体にそれぞれ本件の他材質物を充填すれば、重量ある耐圧性の擁壁体が構築できる。
【００１９】  図６においては、７、８は上下係合面で、１３は連通型充填口であり、１９は空洞体、２２、２４は外壁面である。
【００２０】  以下、上記構成の動作を説明する。分割型積みブロック３を布積みや無限積みに構築後、それぞれの上部係合面７に設けた連通型充填口１３を通じ、それらの内部の空洞部１９に水や泥流物などの他材質物などを充填し、重量擁壁体に変化させる事が出来る。
【００２１】  また、図２と３の例で見る様に、横状分割線１４、１５と縦状分割線１６、１７により、ブロック体を四分割等の複数に分割する事が出来るので、図３のように、擁壁不要の時などは、分解してコンパクトに収納出来るので、収容スペースの大巾削減になる。又、ブロック体の係合面形状を図１ー（Ｂ）で示す様な咬合型形状にすると効果を発揮する。
【００２２】  さらに、図４の様に、ブロック体（Ｂ）の側面から内部方向に横穴孔等を設ければ、これに金属製の鉄棒や鉄板等を充填挿入が可能で、軽量ブロックを重量ブロックに転換する事が出来、また、取り外しや収納も簡単に出来る。
【００２３】  図５に示す分割型積みブロックを図６に示す通り、無限積み擁壁に構築可能となる。
【図面の簡単な説明】
【００２４】
【図１】  本発明の各種空洞付きブロック例の斜視図である。
【図２】  上下係合面に連通型充填口を設け、壁面部に分割用横線と縦線を示している分割型積みブロックの斜視図である。
【図３】  分割型積みブロックを４分割した場合の分解斜視図である。
【図４】  横穴孔付き積みブロックの斜視図である。
【図５】  空洞部付き分割型積みブロックの横断面図である。
【図６】  分割型積みブロックを無限積みに構築した場合の擁壁斜視図である。
【符号の説明】
【００２５】（Ａ）単列積み用ブロック
（Ｂ）無限積み用ブロック
（Ｃ）Ｔ字状ブロック
（Ｄ）アール状ブロック
３  分割型積みブロック
４  横穴孔付き積みブロック
５  上下係合面
６  上下係合面
１３  連通型充填口
１４  横状分割線
１６  縦状分割線
１７  縦状分割線
１９  空洞部
２２  正面
２３  側面
２４  背面
２５  側面
２６  横穴孔
【図１】
2007191997.tif 000003
【図２】
2007191997.tif 000004
【図３】
2007191997.tif 000005
【図４】
2007191997.tif 000006
【図５】
2007191997.tif 000007
【図６】
2007191997.tif 000008